(57)【要約】      （修正有）【課題】ローカルＩＰアクセスを提供する方法を提供する。【解決手段】無線ネットワークにおいて、基地局がユーザー装置（ＵＥ）から、ローカルＩＰアクセス（ＬＩＰＡ）要求を含む無線リソース制御（ＲＲＣ）接続要求を受信する工程８０１、基地局がＵＥに、ＲＲＣ接続セットアップメッセージを伝送する工程８０２及び基地局がＬＩＰＡをサポートする場合、基地局がＵＥと、ＬＩＰＡパケットデータネットワーク（ＰＤＮ）接続を構築する工程８０３を含む。【選択図】図８
2015213332.tif 000002
【特許請求の範囲】
【請求項１】
ローカルＩＰアクセスを提供する方法であって、
無線ネットワークにおいて、基地局がユーザー装置（ＵＥ）から、ローカルＩＰアクセス（ＬＩＰＡ）要求を含む無線リソース制御（ＲＲＣ）接続要求を受信する工程、
前記基地局が前記ＵＥに、ＲＲＣ接続セットアップメッセージを伝送する工程、
前記基地局がＬＩＰＡをサポートする場合、前記基地局が前記ＵＥと、ＬＩＰＡパケットデータネットワーク（ＰＤＮ）接続を構築する工程、
前記基地局がＬＩＰＡをサポートしない場合、ＲＲＣ拒否メッセージを前記ＵＥに伝送する工程、及び、
前記基地局がＬＩＰＡをサポートしない場合、ＬＩＰＡリダイレクト情報をハンドオーバまたは接続解除することにより、前記ＵＥを第二基地局にリダイレクトする工程
を含むことを特徴とするローカルＩＰアクセスを提供する方法。
【請求項２】
さらに、システム情報ブロック（ＳＩＢ）により、ＬＩＰＡ対応情報をブロードキャストする工程を含むことを特徴とする請求項１に記載のローカルＩＰアクセスを提供する方法。
【請求項３】
前記ＲＲＣ接続セットアップメッセージは、ＬＩＰＡサポートを指示することを特徴とする請求項１に記載のローカルＩＰアドレスサポートを指示する方法。
【発明の詳細な説明】
【技術分野】
【０００１】
この出願は、２０１１年７月５日に出願された“Indication of ＬＩＰＡ Support”と題された米国特許仮出願番号６１／５０４５５７号から、合衆国法典第３５編第１１９条の下、優先権を主張するものであり、その内容は引用によって本願に援用される。
【０００２】
本発明は、移動通信システムに関するものであって、特に、３ＧＰＰ ＬＴＥ／ＬＴＥ−Ａシステムにおいて、ローカルＩＰアクセスサポートを支持する方法とそのためのユーザ装置を提供することに関するものである。
【背景技術】
【０００３】
３ＧＰＰ（3rd Generation Partnership Project）は、進化型パケットシステム （ＥＰＳ）に次世代移動通信システムとして投資すると共に、Home eNodeB （ＨｅＮＢ）を、ローカルセルサービス領域にインストールする小さい基地局として研究している。ホーム基地局は、相対的に小さい地域に供するように設計された基地局で、各種場所、たとえば、家（住宅）、オフィス、店舗、アパート等で幅広く用いられる。これらのホーム基地局は、通常、室内の無線サービス範囲を改善し、スループットを増加し、マクロセルラーネットワーク（macro-cellular network）上の負荷を減少させる、および／または、ネットワークオペレータおよび／またはユーザーに別の長所を提供するのに用いられる。特定場所に慎重に配備されネットワークオペレータにより維持されるマクロ基地局と異なり、ホーム基地局は、ユーザーにより、計画性なく、あらゆる場所に、フレキシブルに配備される。   
【０００４】
３ＧＰＰにおいて、ローカルＩＰアクセス（ＬＩＰＡ）サポートは、ホーム基地局の機能的要求として定義される。ＬＩＰＡは、たとえば、ホーム基地局が接続される家内（住宅内）のＩＰネットワークのようなローカルＩＰネットワークに対する接続性を、ＩＰに対応可能なＵＥに提供する。たとえば、ＬＩＰＡは、ＵＥが、ホームネットワークの一部である別の端子（たとえば、ローカルプリンター）に接続することができるようにし、モバイル通信事業者のコアネットワークと通信する必要がない。従来、ＵＥが、セルラーインターフェースがないローカルプリンターに接続したい場合、ＵＥは、ローカル通信インターフェース、たとえば、無線ＬＡＮを使用する必要がある。ホーム基地局が、異なる無線アクセス技術間のゲートウェイとして機能するので、ＬＩＰＡの使用は、ＵＥが、移動体通信インターフェースを用いて、ホームネットワーク内の別の端子と通信するのを可能にする。
【０００５】
一旦、パケットデータネットワーク（ＰＤＮ）接続がＬＩＰＡ伝送に構築されると、データトラフィックはホームネットワークに向けられ、且つ、ホーム基地局は、モバイル通信事業者のコアネットワークを経ずに、データトラフィックを実行する。しかし、シグナリングトラフィックは、モバイル通信事業者のコアネットワークを通過し続ける。３ＧＰＰは、ＬＩＰＡのいくつかの要求を定義している。最初に、ホーム基地局が、住宅又は企業内ＩＰネットワークへのアクセスを提供する時、ユーザーに通知する。次に、モバイル通信事業者は、ホーム基地局が、ローカルＩＰアクセスを有効、または、無効にするように設定することができる。三つ目に、モバイル通信事業者は、各ユーザー契約情報、各クローズド加入者（サブスクライバ）グループ（ＣＳＧ）に基づいて、ローカルＩＰアクセスを有効、または、無効にすることができる。各ホーム基地局は、ＣＳＧ識別子を有するＣＳＧセルに関連する。ユーザーが、ＣＳＧセルにアクセスするのを許可するかどうかは、ユーザーの契約情報に基づいて決定される。
【０００６】
3GPP TR 23.829とTR 23.859において、ＬＩＰＡトラフィックのＰＤＮ接続が初期化されるかどうか、および／または、要求されるアクセスポイント名（ＡＰＮ）に関する、ＵＥに伝送する指示が検討される。可能なソリューションは、ＵＥ設定、ＮＡＳシグナリング、または、ＲＲＣシグナリングによる。しかし、上述のオプションの詳細は、まだはっきりしない。この特許出願において、ＬＩＰＡを提供する各種可能な方法の詳細な設計が提供される。
【発明の概要】
【発明が解決しようとする課題】
【０００７】
ローカルＩＰアクセス（ＬＩＰＡ）を提供する方法が提案される。一新規形態において、ＬＩＰＡ情報能力を用いた増強型セル選択方法が提案される。ＬＩＰＡ対応能力関連情報に基づいて、ＵＥは、ＬＩＰＡ−対応可能セルの優先順序を決定して、対応するパケットデータネットワーク（ＰＤＮ）接続を構築することができる。
【課題を解決するための手段】
【０００８】
第一具体例において、ＬＩＰＡ情報は、ＵＥ中で、静的に設定される。一例において、無線の（ＯＴＡ）プロトコル、たとえば、オープンモバイルアライアンス（ＯＭＡ）端末管理（ＤＭ）プロトコルにより、ＬＩＰＡサポートを有するＣＳＧ ＩＤに基づいて、ＣＳＧ ＩＤのリストとＰＣＩ範囲情報がＵＥに伝送される。
【０００９】
第二具体例において、無線リソース制御（ＲＲＣ）シグナリングをブロードキャスト、または、ユニキャストすることにより、ＬＩＰＡ情報がＵＥに通知される。ブロードキャスト方法にとって、ＵＥは、ｅＮＢによりブロードキャストされるシステム情報（たとえば、ＳＩＢ１）を読み取ることにより、セルのＣＳＧ ＩＤとＬＩＰＡ対応情報を得る。ユニキャスト方法にとって、第一オプションにおいて、ｅＮＢは、ＲＲＣ接続セットアップメッセージ中のＬＩＰＡのサポートを指示する。第二オプションにおいて、ＵＥは、ＲＲＣ接続要求メッセージ中、ＬＩＰＡの優先度を指示する。ｅＮＢがＬＩＰＡをサポートしない場合、ｅＮＢは、ＬＩＰＡリダイレクト情報をハンドオーバ、または、接続解除／拒否することにより、ＵＥを、ＬＩＰＡ−対応可能セルにリダイレクトする。
【００１０】
第三具体例において、ＬＩＰＡ情報は、非アクセス層（ＮＡＳ）シグナリングにより、ＵＥに通知される。ＬＩＰＡ指示のＮＡＳベースのシグナリング方法の概念は、ＲＲＣ接続がＵＥに構築された後、ＮＡＳメッセージに基づいて、“ＬＩＰＡのサポート”情報が、モビリティ管理エンティティ（ＭＭＥ）により、ＵＥに提供されることである。その後、ＭＭＥからＮＡＳメッセージ受信時、ＵＥは、ＬＩＰＡ対応情報を保存する。後に、ＵＥが、アイドルモードで、セル選択、または、再選択を実行する時、ＵＥは、保存されたＬＩＰＡ対応情報を用いて、ＬＩＰＡ−対応可能セルの優先順序を決定する。
【００１１】
他の実施の形態および利点が以下の詳細な説明に述べられる。この説明は、本発明を定めるものではない。本発明は請求項によって定められる。
【図面の簡単な説明】
【００１２】
添付の図面は、本発明の実施の形態を説明しており、同様の番号は同様の構成要素を示している。
【図１】図１は、一新規形態によるローカルＩＰアクセスをサポートする移動無線通信ネットワークを示す図である。
【図２】図２は、一新規形態によるユーザー装置のブロック図である。
【図３】図３は、ＵＥ設定により、ＬＩＰＡを提供する第一方法を示す図である。
【図４】図４は、移動通信ネットワークにおけるＵＥ設定の第一方法に従って、ＬＩＰＡを提供する一具体例を示す図である。
【図５】図５は、移動通信ネットワークにおけるＲＲＣシグナリングの第二方法により、ＬＩＰＡを提供する一具体例を示す図である。
【図６】図６は、移動通信ネットワークにおけるＲＲＣシグナリングの第二方法により、ＬＩＰＡを提供する別の具体例を示す図である。
【図７】図７は、一新規形態によるユーザー装置に基づいてＬＩＰＡを提供する方法のフローチャートである。
【図８】図８は、一新規形態による基地局に基づいてＬＩＰＡを提供する方法のフローチャートである。
【図９】図９は、ＮＡＳシグナリングにより、ＬＩＰＡを提供する第三方法を示す図である。
【図１０】図１０は、移動通信ネットワークにおいけるＮＡＳシグナリングの第三方法に従ってＬＩＰＡを提供する一具体例を示す図である。
【図１１】図１１は、移動通信ネットワークにおいて、ＮＡＳシグナリングの第三方法に従って、ＬＩＰＡを提供する別の具体例を示す図である。
【図１２】図１２は、ＮＡＳシグナリングにより、ＬＩＰＡを提供する方法のフローチャートである。
【発明を実施するための形態】
【００１３】
本発明の実施形態について詳細に述べる。それは添付図面に示されている。
図１は、その一新規形態によるローカルＩＰアクセス（ＬＩＰＡ）をサポートする移動通信ネットワーク１００を示す図である。移動通信ネットワーク１００は、ユーザー装置（ＵＥ）１０１、および、無線アクセスを、モバイル通信事業者コアネットワーク（ＣＮ）１１０に提供するhome eNodeB（Ｈ（ｅ）ＮＢまたはＨｅＮＢ）１０２を含む。Ｈ（ｅ）ＮＢ１０２もまた、住宅又は企業内ＩＰネットワーク１２０の一部で、ローカルプリンター１２１、ローカルモニター１２２、および、ローカルコンピュータサーバ１２３を含む。図１の例において、ＵＥ１０１はＩＰに対応可能（使用可能）なＵＥで、且つ、Ｈ（ｅ）ＮＢ１０２は、ＬＩＰＡをＵＥ１０１に提供して、同じローカルＩＰネットワーク１２０の家（住宅）１３０内に位置するその他のＩＰエンティティ（たとえば、プリンター１２１）を接続する。
【００１４】
一般に、ＬＩＰＡは、Ｈ（ｅ）ＮＢ（すなわち、Ｈ（ｅ）ＮＢ無線アクセスを用いる）により、同じ住宅又は企業内ＩＰネットワーク中の別のＩＰ対応可能エンティティに接続されるＩＰ対応ＵＥへのアクセスを提供する。このような行為は、ローカルＩＰブレイクアウトと称され、ＩＰパケットは、ローカルＩＰサーバによりリダイレクトされる。ＬＩＰＡはプロトコルのひとつで、ローカルＩＰブレイクアウトを実行する。３ＧＰＰは、ＬＩＰＡのある要求を定義している。まず、ホーム基地局が、住宅又は企業内ＩＰネットワークへのアクセスを提供する時、ユーザーに通知する。次に、モバイル通信事業者は、ホーム基地局を、ローカルＩＰアクセスを有効、または、無効にするように設定することができる。三つ目に、モバイル通信事業者は、クローズド加入者（サブスクライバ）グループ（ＣＳＧ）におけるユーザー契約情報に基づいて、ローカルＩＰアクセスを有効、または、無効にする。各ホーム基地局は、ＣＳＧ識別子（ＣＳＧ ＩＤ）を有するＣＳＧセルに加入される。ユーザーがＣＳＧセルにアクセスするのを許可するかどうかは、ユーザーの契約情報に基づいて決定される。
【００１５】
一実施形態において、ＬＩＰＡ対応情報を用いた増強型セル選択方法が提案される。ＬＩＰＡ対応関連情報に基づいて、ＵＥは、ＬＩＰＡ−対応可能セルの優先順位を決めると共に、対応するパケットデータネットワーク（ＰＤＮ）接続を構築する。図１は、ＬＩＰＡ情報１４０をＵＥ１０１に提供して、増強型セル選択に用いる三つの異なる具体例を示す図である。第一具体例において、ＬＩＰＡ情報は、プロビジョニングに基づいて、ＵＥで静的に設定される。第二具体例において、ＬＩＰＡ情報は、無線リソース制御（ＲＲＣ）シグナリングをブロードキャスト、または、ユニキャストすることにより、ＵＥに通知される。第三具体例において、ＬＩＰＡ情報は、非アクセス層（ＮＡＳ）シグナリングによりＵＥに通知される。
【００１６】
図２は、一実施形態によるユーザー装置ＵＥ２０１のブロック図である。ＵＥ２０１は、メモリ２１１、プロセッサ２１２、アンテナ２１４に結合される無線周波数（ＲＦ）モジュール２１３、ベースバンドモジュール２１５、ＮＡＳ２２５、ＲＲＣ２２４、ＰＤＣＰ／ＲＬＣ２２３、ＭＡＣ２２２とＰＨＹ２２１を含む各種プロトコル層をサポートする３ＧＰＰプロトコルスタックモジュール２２６、ＴＣＰ／ＩＰプロトコルスタックモジュール２２７、および、ユーザーインターフェース（ＵＩ）モジュール２３１、セル（再）選択モジュール２３２、ハンドオーバ（ＨＯ）モジュール２３３、および、設定モジュール２３４を含む管理モジュール２３０を含む。各種モジュールは機能モジュールで、且つ、ソフトウェア、ファームウェア、ハードウェア、または、それらの組み合わせにより実行される。プロセッサ２１２（メモリ２１１中に含まれるプログラム命令により）により実行される機能モジュールは、互いに作用して、ＵＥ２０１がセル（再）選択を実行するのを許可すると共に、ＬＩＰＡ情報に基づいて、ＰＤＮ接続を構築する。たとえば、ＮＡＳ２２５は、受信したＮＡＳシグナリングを処理して、ＵＥは、ＮＡＳメッセージ中に含まれるＬＩＰＡ情報を保存することができる。セル選択モジュール２３２は、その後、保存されるＬＩＰＡ情報を用いて、ＬＩＰＡ−対応可能セルの優先順序を決める。
【００１７】
図３は、移動通信ネットワーク３００中、ＵＥ設定によりＬＩＰＡを提供する第一方法を説明する図である。移動通信ネットワーク３００は、ＵＥ３０１、Ｈ（ｅ）ＮＢ３０２、オープンモバイルアライアンス（ＯＭＡ）端末管理（ＤＭ）サーバ３０３、および、モバイル通信事業者のコアネットワークＣＮ３１０を含む。ＵＥ設定方法において、ＬＩＰＡ情報は、無線の（ＯＴＡ）プロトコルによりＵＥ３０１に伝送される。図３の例において、ＯＭＡ ＤＭサーバ３０３が用いられて、ＬＩＰＡ情報をＵＥ３０１に伝送する。ＬＩＰＡ情報は、通常、ＨｅＮＢのＬＩＰＡ対応情報、すなわち、ＬＩＰＡはＨｅＮＢによりサポートされるかどうかの情報を含む。
【００１８】
Ｈ（ｅ）ＮＢ機能の重要な特徴は、特定のユーザーにアクセスするのを制限する能力である。たとえば、ＨｅＮＢが配備される会社の職員、特定のコーヒーチェーン店の顧客、または（自家中に配備されるＨｅＮＢの）個人だけにアクセスが制限される。この機能を達成するため、３ＧＰＰはＣＳＧのコンセプトを定義している。セルがＣＳＧモードで設定される時、セルのアクセスコントロールリスト中に含まれるそれらのユーザーだけが、セルへのアクセスを許可される。ＵＥがＣＳＧセルに契約する時、ＵＥは、ＣＳＧセルのアクセスコントロールリスト中に含まれる。契約は実際には一時的である（たとえば、コーヒーショップは、顧客に、そのＣＳＧセルへのアクセスを1時間だけ許可する）。ＣＳＧセルは、ＨｅＮＢが、システム情報のブロードキャストによるＣＳＧセルであることを指示する。ＣＳＧセルは、また、システム情報により、ＣＳＧ ＩＤをブロードキャストする。
【００１９】
ＵＥ設定方法において、ＬＩＰＡ対応情報は、ＵＥ中で、静的に設定されると共に、ＵＥの加入者識別モジュール、または、汎用加入者識別モジュール（ＳＩＭ／ＵＳＩＭ）に保存される。たとえば、ＬＩＰＡサポートを有するＣＳＧ ＩＤのリストは、プロビジョニングに基づいて、ＵＥ中に静的に設定される。この方法は、住宅ＬＩＰＡサポートのケースに最適である。企業の部署にとって、ＨｅＮＢのＬＩＰＡのサポートが静的に設定されてもよい。これにより、この方法で、ＨｅＮＢのＬＩＰＡ対応能力を予め知ることができる。さらに、設定された情報が、暗号化および保護される。
【００２０】
しかし、このＵＥ設定方法は、企業ネットワークの全ＨｅＮＢがＬＩＰＡをサポートしない状況に応用できない。たとえば、企業ネットワークにおいて、一部のＨｅＮＢがＬＩＰＡをサポートし、残りがサポートしない可能性がある。ＵＥ設定が各ＣＳＧ ＩＤで定義され、各ＨｅＮＢで定義されない場合、ＵＥは、特定のＨｅＮＢがＬＩＰＡをサポートするかどうかを識別することができない。ＵＥ設定問題を解決するため、特定のＨｅＮＢのＬＩＰＡ対応能力が、ＣＳＧ ＩＤのリストに付随する追加情報として追加されることを提案する。たとえば、物理セルＩＤ（ＰＣＩ）範囲情報が、各ＣＳＧ ＩＤに提供されて、ＬＩＰＡのサポートを指示する。現在、ＰＣＩ範囲の集合は、既に、ＣＳＧセルだけに保留され、且つ、各ＣＳＧセルのＰＣＩは、ＯＡＭにより設定される。図３に示されるように、ＯＭＡ ＤＭサーバ３０３からＵＥ３０１に伝送されるＬＩＰＡ情報３２０は、ＬＩＰＡ能力、ＣＳＧ ＩＤのリスト、および、各ＣＳＧ ＩＤのＰＣＩ範囲情報を含む。
【００２１】
図４は、移動通信ネットワークにおけるＵＥ設定の第一方法に従ったＬＩＰＡを提供する一具体例を示す図である。ステップ４１１において、ＵＥ４０１は、ＯＭＡ ＤＭ サーバ４０３から、ＯＭＡ ＤＭ設定を受信する。ＯＭＡ ＤＭ設定は、あらゆる時間、すなわち、ＵＥ４０１がRRC_IDLEまたはRRC_Connectedモードである時に発生する。ＯＭＡ ＤＭ設定はＬＩＰＡ情報を含み、ＬＩＰＡ情報は、ＬＩＰＡ能力、ＣＳＧ ＩＤのリスト、および、各ＣＳＧのＰＣＩ範囲の集合を含む。ステップ４１２において、ＵＥ４０１は、ＬＩＰＡ情報をＳＩＭ／ＵＳＩＭ中に保存する。ステップ４１３において、ＵＥは、アイドルモードで、セル選択を実行する。保存されたＬＩＰＡ情報が用いられて、ＬＩＰＡ−対応可能セルの優先順序を決定する。たとえば、ＨｅＮＢ４０２は、ＵＥ４０１により供されるＬＩＰＡ−対応可能セルとして作用する。ステップ４１４において、ＵＥ４０１は、ＨｅＮＢ４０２と、ＲＲＣ接続を構築する。ステップ４１５において、ＵＥ４０１は、ＭＭＥ４０４とＬＩＰＡ ＰＤＮ接続を構築し、ＬＩＰＡ ＰＤＮ接続は、非アクセス層（ＮＡＳ）接続の一部で、モビリティ管理エンティティ（ＭＭＥ）により、接続ベアラーをセットアップする。
【００２２】
ＵＥ設定によりＬＩＰＡを提供する第一方法は、ＬＩＰＡ対応情報に基づいて、セル選択とセル再選択両方をサポートする。本方法はＲＡＮに影響がない。しかし、TS24.285中で定義される現在許可されているＣＳＧリストは、各Ｈ（ｅ）ＮＢに指示するのを許可しない。これにより、この方法は、ＯＡＭに影響がない。各ＣＳＧの許されたＣＳＧリストとオペレータＣＳＧリスト中に、新しいリーフ（New leaf）を定義する必要がある。
【００２３】
ＬＩＰＡを提供する第二方法は、ＲＲＣシグナリングにより実行される。ＬＩＰＡ対応能力のサポートは、ブロードキャスト、または、ユニキャスト形式で搭載される。ブロードキャスト方法にとって、ＬＩＰＡ能力のサポートは、システム情報ブロック（たとえば、ＳＩＢ１）によりブロードキャストされる。ユニキャスト方法にとって、ＬＩＰＡ対応能力のサポートは、専用のＲＲＣシグナリングにより指示される。
【００２４】
図５は、移動通信ネットワークにおけるＲＲＣブロードキャストによりＬＩＰＡを提供する一具体例を説明する図である。ステップ５１１において、ＵＥ５０１は、セル選択の実行を開始し、最高リンク品質および／または別の優先度（たとえば、ＬＩＰＡ対応能力）に基づいて、セルの選択を試みる。ステップ５１２において、ＵＥ５０１は、基地局ｅＮＢ５０２からブロードキャストされるＳＩＢ１を読み取る。ＳＩＢ１は、ｅＮＢ５０２により供されるセルのＣＳＧ ＩＤとＬＩＰＡ対応情報を含み、ＵＥ５０１が、セル選択プロセス期間中、優先選択をするのを手助けする。たとえば、ＵＥ５０１は、ＳＩＢ１の内容を確認する。ＵＥ５０１がＣＳＧに属し（たとえば、ＣＳＧ ＩＤに基づく）、および、セルがＬＩＰＡのサポートを指示する場合、この候補セルは高優先度で選択される。ステップ５１３において、ＵＥ５０１は、ｅＮＢ５０２により供される選択されたＬＩＰＡ−対応可能セルと、ＲＲＣ接続を構築する。最後に、ステップ５１４において、ＵＥ５０１は、ＭＭＥ５０３とＬＩＰＡ ＰＤＮ接続を構築する。
【００２５】
図６は、移動通信ネットワークにおける専用のＲＲＣシグナリングによるＬＩＰＡを提供する一具体例を示す図である。ステップ６１１において、ＵＥ６０１は、セル選択の実行を開始するとともに、最高リンク品質、および／または、別の優先度（たとえば、ＬＩＰＡ対応能力）を有するセルの選択を試みる。しかし、ＵＥ６０１は、このとき、いかなるＬＩＰＡ対応情報も有さない。ステップ６１２において、ＵＥ６０１は、ｅＮＢ１６０２により供されるセルを選択するとともに、ＲＲＣ接続要求をｅＮＢ１６０２に伝送する。ＲＲＣ接続要求は、ＬＩＰＡサポートの優先度を指示する。ＲＲＣ接続要求の受信後、ｅＮＢ１６０２がＬＩＰＡをサポートする場合、ＲＲＣ接続セットアップを、ＵＥ６０１に応答して、ＲＲＣ接続を構築する。しかし、図６の例において、ｅＮＢ１ ６０２はＬＩＰＡをサポートしない。その結果、ｅＮＢ１６０２は、ＬＩＰＡリダイレクト情報をハンドオーバまたは接続解除／拒否することにより、ＵＥ６０１を、別のＬＩＰＡ−対応可能セルにリダイレクトする。たとえば、ステップ６１３において、ｅＮＢ１ ６０２は、ＲＲＣ接続拒否メッセージをＵＥ６０１に伝送する。ＲＲＣ接続拒否メッセージは、ＬＩＰＡリダイレクト情報、たとえば、ｅＮＢ２ ６０３により提供されるＬＩＰＡ−対応可能セルの物理セルＩＤを含む。ステップ６１４において、ＵＥ６０１は、別のＲＲＣ接続要求をｅＮＢ２ ６０３に伝送する。ＲＲＣ接続要求は、再び、ＬＩＰＡサポートに優先度を指示する。ステップ６１５において、ｅＮＢ２ ６０３は、ＲＲＣ接続セットアップを、ＵＥ６０１に答える。ＲＲＣ接続セットアップメッセージは、ＬＩＰＡのサポートを指示する。最後に、ステップ６１６で、ＵＥ６０１とＭＭＥ６０４は、ＬＩＰＡ ＰＤＮ接続を構築する。
【００２６】
ＲＲＣシグナリングにより、ＬＩＰＡを提供する第二方法は、ＲＡＮに対し影響がある。ブロードキャスト方法において、ＬＩＰＡ対応情報がＳＩＢ１により指示される場合、ＬＩＰＡ対応能力に基づいて、セル選択とセル再選択両方をサポートする。ユニキャスト方法において、ｅＮＢは、ＬＩＰＡのサポートを指示する、または、ＵＥは、ＬＩＰＡの優先度を指示することができる。しかし、ＲＲＣメッセージ（ブロードキャストとユニキャスト）は修正されて、ＬＩＰＡ指示を伝送する必要がある。
【００２７】
図７は、一実施形態によるユーザー装置に基づいて、ＬＩＰＡを提供する方法のフローチャートである。ステップ７０１において、ＵＥは、移動通信ネットワークで、セル選択を実行する。ＵＥは、異なるセルで、各種測定を実行して、ＵＥが、最高のリンク品質を有するセルを選択することができる。ステップ７０２において、ＵＥは、ＬＩＰＡ対応能力と関連するＣＳＧ ＩＤを含むひとつまたは複数のセルのＬＩＰＡ情報を得る。なお、ステップ７０２は、ステップ７０１の前に実行されてもよい。一例において、ＵＥは、ＯＴＡプロトコル（たとえば、ＯＭＡ ＤＭサーバから）からＬＩＰＡ情報を受信し、その後、セル選択前、ＳＩＭ／ＵＳＩＭで、情報を保存する。別の例において、ＵＥは、ＳＩＢ１からブロードキャストされるＬＩＰＡ情報を読み取る。その後、セル選択期間中、ＵＥは、ＬＩＰＡ−対応可能セルの優先順序を決定することができる。ステップ７０３において、ＵＥは、ＨｅＮＢと、選択されたＬＩＰＡ−対応可能セルで、ＲＲＣ接続を構築する。ステップ７０４において、ＵＥは、ＭＭＥと、選択されたＬＩＰＡ−対応可能セル中、ＬＩＰＡ ＰＤＮ接続を構築する。
【００２８】
図８は、一実施形態による基地局に基づいて、ＬＩＰＡを提供する方法のフローチャートである。ステップ８０１において、ホーム基地局ＨｅＮＢは、移動通信ネットワークで、ＵＥから、ＲＲＣ接続要求メッセージを受信する。ＲＲＣ接続要求メッセージは、ＬＩＰＡサポートの優先度を指示する。ステップ８０２において、ＨｅＮＢは、ＲＲＣ接続セットアップメッセージをＵＥに伝送する。ＲＲＣ接続セットアップメッセージは、ＬＩＰＡがサポートされるかを示す。ステップ８０３において、ＨｅＮＢがＬＩＰＡをサポートする場合、ＨｅＮＢは、ＵＥと、ＬＩＰＡ ＰＤＮ接続を構築する。或いは、ステップ８０４において、ＨｅＮＢがＬＩＰＡをサポートしない場合、ＨｅＮＢは、ＬＩＰＡリダイレクト情報をハンドオーバまたは接続解除／拒否することにより、ＵＥを別のセルにリダイレクトする。
【００２９】
図９は、移動通信ネットワーク９００におけるＮＡＳシグナリングによりＬＩＰＡを提供する第三方法を示す図である。移動通信ネットワーク９００は、無線アクセスネットワーク（ＲＡＮ）９１０、進化型パケットコア（ＥＰＣ）９２０、および、モバイル通信事業者のデータネットワーク、または、インターネット９３０を含む。無線アクセスネットワーク９１０は、ユーザー装置ＵＥ９１１、マクロ基地局ＭｅＮＢ９１２、および、ホーム基地局ＨｅＮＢ９１３を含む。進化型パケットコア９２０は、モビリティ管理エンティティＭＭＥ９２１、サービングゲートウェイ（Ｓ−ＧＷ）９２２、および、パケットデータネットワークゲートウェイ（ＰＤＮ−ＧＷ）９２３を含む。移動通信ネットワーク９００において、無線アクセスネットワーク９１０は、セルラーアクセスをＵＥ９１１に提供して、進化型パケットコア９２０により、モバイル通信事業者のデータネットワークおよび／またはインターネット９３０にアクセスする（長点線９３１で示される）。
【００３０】
しかし、ホーム基地局ＨｅＮＢ９１３は、ローカルＩＰネットワーク９４０の一部でもある。これにより、ＨｅＮＢがＬＩＰＡ対応能力を有する場合、ＨｅＮＢ９１３は、ＵＥ９１１にＬＩＰＡを提供して、ローカルＩＰネットワーク９４０中の別のＩＰ装置と直接通信する（短点線９４１で示される）。一旦、ＬＩＰＡ ＰＤＮ接続が、ＨｅＮＢ９１３により、ＵＥ９１１に構築されると、データトラフィックは、進化型パケットコアネットワーク９２０を通過せず、シグナリングトラフィックは、進化型パケットコアネットワーク９２０を通過し続ける。
【００３１】
一般に、ＮＡＳ層は、情報を提供して、ＡＳ層で実行されるセル選択を指示する。たとえば、ＮＡＳ層は、ＲＡＴ／セルの優先度を指示することによりセル選択を制御し、ＲＡＴ／セルと最初に、セルの検索時に用いられる選択されたＰＬＡＮは関連する。ＮＡＳは、また、禁止登録領域のリスト、ＣＳＧ ＩＤのリスト、および、ＵＥが許可される（ＣＳＧ white list）それらの関連するＰＬＡＮ ＩＤを維持し、これらのリストをＡＳ層に提供する。一方、ＵＥ ＡＳ層は適切なセルを検索すると共に、セル選択をサポートするのに必要な測定を実行する。
【００３２】
これにより、ＬＩＰＡ指示のＮＡＳベースシグナリング方法の概念は、ＲＲＣ接続がＵＥ９１１に構築された後、“ＬＩＰＡのサポート”情報は、ＮＡＳメッセージにより、ＭＭＥ９２１により、ＵＥ９１１に提供されることである。このような方法の問題は、ＵＥは、ＲＲＣ接続を構築し、ＮＡＳメッセージを受信後だけ、ＬＩＰＡサポートを意識することである。ＬＩＰＡ対応能力は、ＨｅＮＢにとって静的情報なので、ＭＭＥ９２１からＮＡＳメッセージを受信する時、ＵＥ９１１はＬＩＰＡ情報を保存することを提案する。後に、ＵＥ９１１が、アイドルモードで、セル選択を実行する時、ＵＥ９１１は、保存されたＬＩＰＡ対応情報を用いて、ＬＩＰＡ−対応可能セルの優先順位を決めることができる。ＮＡＳシグナリング方法の一長所は、ＭＭＥ／ＳＧＳＮがこのような情報を知り、ＮＡＳメッセージにより、ＵＥに提供されさえすれば、ＬＩＰＡ対応情報を保存および利用するのは、ＵＥによって決まることである。
【００３３】
図１０は、移動通信ネットワークにおけるＮＡＳシグナリングの第三方法に従って、ＬＩＰＡを提供する一具体例を説明する図である。ステップ１０１１において、ＵＥ１００１は、まず、マクロ基地局ＭｅＮＢ１００２と、ＲＲＣ接続を構築する。後で、ＵＥ６０１は、ＭＭＥ１００４から、ＮＡＳメッセージを受信する（ステップ１０１２）。ＮＡＳメッセージは、同じＣＳＧ ＩＤを有するＬＩＰＡ−対応可能セルのリストを指定する。注意すべきことは、ＣＳＧ ＩＤは、同じアクセスコントロールリストをシェアするセルの集合の識別子であることである。ステップ１０１３において、ＵＥ１００１は受信されたＬＩＰＡ情報を保存する。後に、ＵＥ１００１はアイドルモードに戻る。ステップ１０１５において、ＵＥ１００１が、アイドルモードで、セル選択を実行する。保存されたＬＩＰＡ情報が用いられて、ＬＩＰＡ−対応可能セルの優先順序を決める。たとえば、ＨｅＮＢ１００３は、同じＣＳＧ ＩＤを有するＬＩＰＡ−対応可能セルとなり、ＬＩＰＡ−対応可能セルは、その後、ＵＥ１００１により選択される。ステップ１０１６において、ＵＥ６０１は、ＨｅＮＢ１００３と、ＲＲＣ接続を構築する。ステップ１０１７において、ＵＥ１００１は、ＭＭＥ１００４とＬＩＰＡ ＰＤＮ接続を構築し、ＬＩＰＡ ＰＤＮ接続はＮＡＳ接続の一部で、接続ベアラーをセットアップする。
【００３４】
図１１は、移動通信ネットワークにおけるＮＡＳシグナリングの第三方法に従ったＬＩＰＡを提供する別の具体例を示す図である。ステップ１１１１において、ＵＥ１１１０は、まず、第一ホーム基地局ＨｅＮＢ1 １１０１とＲＲＣ接続を構築する。後で、ＵＥ１１１０は、ＭＭＥ１１０４から、ＮＡＳメッセージを受信する（ステップ１１１２）。ＮＡＳメッセージは、セルのＬＩＰＡ対応能力を特定する。一例において、ＮＡＳメッセージは、同じＣＳＧ ＩＤを有するＬＩＰＡ−対応可能セルのリストを指定する。注意すべきことは、ＣＳＧ ＩＤは、同じアクセスコントロールリストをシェアするセルの集合の識別子であることである。ステップ１１１３において、ＵＥ１１１０は、受信されたＬＩＰＡ情報を履歴データとして保存する。ＮＡＳ層は、現在のセルのＬＩＰＡ対応能力だけを指示する。しかし、ＵＥは、前にキャンプ（camped）したことがある全セルのＬＩＰＡ情報を収集することができる。後に、無線リンク障害（ＲＬＦ）イベントが発生する（ステップ１１１４）。ステップ１１１５において、ＵＥ１１１０は、アイドルモードで、セル再選択を実行する。保存されたＬＩＰＡ情報が用いられて、ＬＩＰＡ−対応可能セルの優先順序を決定する。たとえば、第二ホーム基地局ＨｅＮＢ２ １１０２は、ＬＩＰＡをサポートしない;第三ホーム基地局ＨｅＮＢ３ １１０３は、ＬＩＰＡをサポートする。たとえば、ＨｅＮＢ３ １１０３は、同じＣＳＧ ＩＤを有するＬＩＰＡ−対応可能セルとして作用し、ＬＩＰＡ−対応可能セルは、その後、ＵＥ１００１により選択される。ステップ１１１６において、ＵＥ１１１０は、ＨｅＮＢ３ １１０３とＲＲＣ接続を構築する。ステップ１１１７において、ＵＥ１１１０は、ＭＭＥ １１０４とＬＩＰＡ ＰＤＮ接続を構築し、ＬＩＰＡ ＰＤＮ接続は、ＮＡＳ接続の一部で、接続ベアラーをセットアップする。注意すべきことは、ＲＬＦ−トリガーは、セル再選択の例のひとつである。一例において、セル再選択は、セルリダイレクト情報を有する接続解除（または、拒否）によりトリガーされる。ＵＥは、リダイレクト情報と保存されたＬＩＰＡ−対応可能セル情報を考慮することにより、セル再選択を実行することができる。
【００３５】
図１２は、一実施形態によるＮＡＳシグナリングにより、ＬＩＰＡを提供する方法のフローチャートである。ステップ１２０１において、ＵＥは、移動通信ネットワークで、ＬＩＰＡ情報を得る。一例において、ＬＩＰＡ情報は、移動通信ネットワーク中、ＭＭＥからのＮＡＳメッセージ中に含まれる。ＵＥはＬＩＰＡ情報を保存して、セル（再）選択期間中、ＬＩＰＡ−対応可能セルの優先順序を決定することができる。ステップ１２０２において、ＵＥは、セル選択、または、セル再選択を実行する。ＵＥは、異なるセルで、各種測定を実行して、ＵＥは、最高リンク品質を有するセルを選択することができる。ＵＥは、また、どのセルがＬＩＰＡ−対応可能であるかを考慮する。ステップ１２０３において、ＵＥは、ＨｅＮＢと、選択されたＬＩＰＡ−対応可能セル中で、ＲＲＣ接続を構築する。ステップ１２０４において、ＵＥは、ＭＭＥと、選択されたＬＩＰＡ−対応可能セル中で、ＬＩＰＡ ＰＤＮ接続を構築する。
【００３６】
一般に、設計目標がＲＡＮに対し影響が少ない場合、ＵＥ設定、または、ＮＡＳシグナリングの方法が応用される。ＵＥは、セル選択、または、セル再選択実行前、高層から、ある優先度（たとえば、ＬＩＰＡ−対応可能セル）を得る。よって、提案される方法は、セル（再）選択増強と見なされる。ＮＡＳとＲＲＣ ＬＩＰＡ指示は独立している（たとえば、共存）。ＲＲＣシグナリングは、ＡＳレベルで、ＬＩＰＡサポートを示すのに用いられ、ＮＡＳシグナリングは、ＬＩＰＡサポートのＨｅＮＢ、または、ＣＳＧのリストを伝送するのに用いられる。
【００３７】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
2015213332.tif 000003
【図２】
2015213332.tif 000004
【図３】
2015213332.tif 000005
【図４】
2015213332.tif 000006
【図５】
2015213332.tif 000007
【図６】
2015213332.tif 000008
【図７】
2015213332.tif 000009
【図８】
2015213332.tif 000010
【図９】
2015213332.tif 000011
【図１０】
2015213332.tif 000012
【図１１】
2015213332.tif 000013
【図１２】
2015213332.tif 000014